(57)【特許請求の範囲】
【請求項１】
複数の圧力室と、
前記圧力室の内圧を高める圧力発生手段と、
前記圧力室毎に設けられ各々複数のノズルを有し、前記圧力室の圧力により前記ノズルからインク滴を吐出してメディアにドットを形成するノズル板と、
を備えたインクジェット式画像形成装置において、
前記ノズル板に電圧を印加して前記インク滴に電荷を与える電圧手段と、
前記メディアにより摩擦され、前記インク滴の電荷とは逆極性に前記メディアを帯電させる１つまたは複数の接触部材を設けた摩擦器具を備え、前記１つまたは複数の接触部材と前記メディアの接触面積を変更して、前記メディアに帯電する電荷量を制御する電位制御装置とを備えた、
ことを特徴とするインクジェット式画像形成装置。
【請求項２】
前記摩擦器具は、略円柱形状を成し当該円柱形状の側面に設けられた前記接触部材で前記メディアに接触するとともに、前記接触部材の接触面積を変更することにより、前記メディアの電荷量を制御する、
ことを特徴とする請求項１に記載のインクジェット式画像形成装置。
【請求項３】
前記摩擦器具は、帯電列の異なる少なくとも２種類の接触部材が側面に設けられてなり、
前記２種類の接触部材の接触面積の比を増減することで帯電量を制御する、
ことを特徴とする請求項２に記載のインクジェット式画像形成装置。
【請求項４】
前記摩擦器具は、前記接触部材と前記メディアとの摩擦を、前記接触部材を前記メディアの搬送方向に対し角度を持つように接触させて行う、
ことを特徴とする請求項１に記載のインクジェット式画像形成装置。
【請求項５】
前記摩擦器具は、前記接触部材が回転自在なローラの表面に設けられている、
ことを特徴とする請求項４に記載のインクジェット式画像形成装置。
【請求項６】
前記摩擦器具は、前記メディアの種類、前記メディアの速度、湿度および温度に基づいて所定のものが選定され、前記摩擦器具は着脱自在とされている、
ことを特徴とする請求項１から５のいずれかに記載のインクジェット式画像形成装置。
【請求項７】
前記圧力室の圧力で前記ノズルから生成される前記インク滴は、前記メディア上に形成される前記ドットの大部分を構成する主インク滴と、前記ドットの残りの部分を構成する少なくとも１つの副インク滴よりなる、
ことを特徴とする請求項１から５のいずれかに記載のインクジェット式画像形成装置。
【請求項８】
前記圧力室の内圧を高める圧力発生手段は、
前記圧力室の少なくとも１面を形成する振動部材と、
該振動部材に順に積層された第１の電極と、
圧電素子と、
第２の電極と、
前記第１の電極に駆動電圧波形を印加する駆動電圧手段と、を有し、
前記第１の電極と前記振動部材と前記ノズル板とを電気的に導通させることにより前記駆動電圧手段が前記電圧手段を兼ねる、
ことを特徴とする請求項１に記載のインクジェット式画像形成装置。
【請求項９】
前記メディアの帯電による電位は、前記ノズル板の電位が負極性の場合は、当該ノズル板の電位より高く設定され、前記メディアの帯電による電位と前記ノズル板の電位の電位差が２００Ｖないし２ｋＶであり、前記ノズル板の電位が正極性の場合は、当該ノズル板の電位より低く設定され、前記メディアの帯電による電位と前記ノズル板の電位の電位差が２００Ｖないし２ｋＶである、
ことを特徴とする請求項１から６のいずれかに記載のインクジェット式画像形成装置。
【発明の詳細な説明】
【技術分野】
【０００１】
本発明は、圧力室の発生する圧力によりノズルからオンデマンドにインク滴を吐出させて、この吐出させたインク滴によりメディアにドットを形成し画像を形成するインクジェット式画像形成装置に関するものである。
【背景技術】
【０００２】
従来、記録紙等のメディアに印刷を施す一般的なプリンタ装置としては、１文字ごとに印字するシリアルプリンタ、１行ごとに印字するラインプリンタ、およびページごとにまとめて印字するページプリンタ等、種々のものが提案されている。さらに近年においては、プリンタ装置の技術進歩に伴い、解像度の高い鮮明な画像を印刷することが可能になってきている。
【０００３】
従来のインクジェット式画像形成装置について図を用いて以下に説明する。
【０００４】
図１７は従来のインクジェット式画像形成装置の模式断面図である。図１７において２０１Ｙ、２０１Ｍ、２０１Ｃ、２０１Ｋは、各色インクを吐出するヘッドを搭載したヘッドボックスであり、各符号のＹ、Ｍ、Ｃ、Ｋはそれぞれのボックスから吐出されるインク色のイエロー、マゼンタ、シアン、ブラックに対応する。２０２Ａ、２０２Ｂ、２０２Ｃは用紙を送り出す側のガイドローラ、２０３Ａ、２０３Ｂ、２０３Ｃは用紙を巻き取る側のガイドローラであり、２０４Ａ、２０４Ｂ、２０４Ｃは位置決めローラ、２０５Ａと２０５Ｂは搬送ローラ、２０６は印刷用紙である。
【０００５】
また、図１８は従来のインクジェット式画像形成装置のインク滴吐出プロセスの連続模式断面図である。図１８において、２０８はノズル孔、２０９はインク柱、２１０は主インク滴、２１１は主インク滴から分離した副インク滴である。
【０００６】
このような構成を有する従来のインクジェット式画像形成装置の動作を以下に説明する。印刷命令が画像形成装置に入ると、搬送ローラ２０５Ａ、２０５Ｂが回転し、印刷用紙２０６を所定の速度と張力で搬送する。用紙搬送速度と各色のヘッドＢＯＸの用紙送り方向の距離に応じて、タイミングを合わせて、インクを吐出し用紙上に画像を形成する。
【特許文献１】特開２００３−５４０６９号公報
【特許文献２】特開２００１−１９９０７１号公報
【発明の開示】
【発明が解決しようとする課題】
【０００７】
しかしながら、上述の構成のインクジェット式画像形成装置では、印刷用紙２０６が帯電していると、連続稼動時に副インク滴が用紙搬送方向後方のノズル面に付着、合体及び成長し大きなインク溜りとなり用紙との接触による画像面の汚れや、印刷用紙搬送方向後方のノズルのメニスカス近くでインク溜りを発生し、連通する事でメニスカスの不安定性を引き起こしていた。特に、印刷用紙２０６と副インク滴２１１の電位の極性が一致すると印刷用紙２０６に付着しにくくなり、跳ね返されやすくなっていた。
【０００８】
この問題点について図１８を用いて説明する。
【０００９】
図１８（１）ないし図１８（５）に示すように印刷用紙２０６には正極側の電位が発生する。図１８（１）に示すように、待機状態にあるノズル孔２０８に内圧が伝達されると、図１８（２）に示すようにメニスカスが盛り上がり、図１８（３）に示すように、インク柱２０９が形成される。
【００１０】
次いで図１８（４）に示すように慣性力により前方へ進むインクと速度が遅いインクもしくは強制的に引き戻されたインクとの間で表面張力により括れが生じ、インク柱２０９が切断され主インク滴２１０が生成される。この主インク滴２１０はインク柱２０９と分離する際に尾のような細いインク部を持つことが多い。印刷用紙２０６が正に帯電し電位が高いと誘電分極により主インク滴部分に負電荷、尾の部分に正電荷が溜まる。
【００１１】
次いで図１８（５）に示すように、尾の部分も表面張力により切断され副インク滴２１１となる。このとき主インク滴２１０は負電荷、副インク滴２１１は正電荷が残る。副インク滴２１１は一般に主インク滴２１０よりも初期速度が遅く、体積も小さいのでわずかに帯電した電荷量でもしばしば印刷用紙２０６に到達せず、正電位の印刷用紙面に跳ね返され、搬送方向に移動している印刷用紙２０６に引きずられて発生している空気の流れに乗り下流に移動する。
【００１２】
そして、そのまま空気中に漂い出て、しばしばノズル面に付着することがある。印刷用紙２０６の電位が高い程、また、副インク滴２１１の速度が遅い程、ノズル板に付着することが多くなる。上記問題点は印刷用紙２０６の電位が負であっても同様に起きるのは言うまでもない。
【００１３】
上記問題点の対策として、従来、例えば（特許文献１）に示すように除電ブラシを用いて静電気帯電量が所定の値以下となるように記録シートを除電し、除電された前記記録シートにインクを吐出して記録を行う記録ヘッドが提案されている。この（特許文献１）に提案された方法は用紙を除電することで、用紙汚れを防止しようとするものであるが、ノズル面の汚れによるインク吐出の不具合は言及していない。
【００１４】
また、他の対策として、例えば（特許文献２）に示すように用紙と吸着搬送手段を用いて静電力で用紙を吸着し、かつ、帯電した用紙の帯電極性とインクの帯電極性を反対にすることで、インクを吸い寄せて用紙上にドットを形成し画像を得る方法が提案されている。しかしながら（特許文献２）に提案された方法は、電界と電荷による静電力でインクを分離し、インク滴として用紙に付着させているのでインク粘度、帯電性に関して特殊な専用インクを用いなければならず、本発明が対象としているインクジェット方式の画像形成装置ではない。さらには用紙の帯電量で用紙上のドット径が容易に変化するので、所望のドット径を得るために、湿度、温度、印刷速度を勘案して帯電器の設定値を変化させ、また、用紙上の電位ムラを無くすための手段が必要であった。また、印刷速度が大きくなると帯電器から発生させなくてはならない単位時間当たりの電荷量も大きくなり帯電器のコストアップを引き起こしていた。さらには、湿度が下がると、乾燥によるメディアの電荷が大きくなる傾向があるにもかかわらずイオン発生型の帯電器では発生する電荷が減少するので帯電器付近の湿度を上げる装置が必要となりシステムが複雑化し、従来構成の課題を解決する方法にはならない。
【００１５】
また、上記従来の構成のインクジェット式画像形成装置においては、別の課題として、ノズル板のインピーダンスが高くなっていると、インク滴がノズル板から分離する前のノズル板から引き伸ばされたメニスカスのときに静電分極が発生した直後にインク滴として分離するので、メディアと同極性電荷がメニスカスに残りノズル板の電位を不安定にして、ノズル板と振動板の間に微弱電流が流れるという問題があった。この微弱電流により圧力室内部に微小気泡が発生成長することがあり、ひいてはその気泡により吐出圧力吸収が発生してインク吐出が不安定になることがあった。
【００１６】
この発明は、上述の課題を解決するためになされたものであって、ノズル面のインク付着量を大幅に低減することができ、長時間にわたる連続印字を行う場合においても、画像形成の安定性が損なわれることの無いインクジェット式画像形成装置を提供することを目的とする。
【課題を解決するための手段】
【００１７】
上記課題を解決するために、この発明に係るインクジェット式画像形成装置は、ノズル板の電位を規定し、メディアの帯電列を勘案した摩擦部材を設けてメディアを摩擦することにより、ノズル板の電位の反対側の極性になるようにメディアを帯電させるようにしたものである。これにより、主インク滴、副インク滴にメディアと反対極性の電荷が与えられて主副インク滴がメディア側に吸い寄せられるので長時間連続吐出させてもインクがノズル板に付着することなく安定した画像形成を行うことができる。
【００１８】
また、この発明に係る別のインクジェット式画像形成装置は、圧力室壁面に設けられた振動板とノズル板の電位を略等しくするようにしたので、長時間連続吐出させても圧力室内部に気泡が発生することが無いので、安定した画像形成を行うことができる。
【発明の効果】
【００１９】
本発明のインクジェット式画像形成装置によれば、連続稼動しても初期と同じ画像形成を長時間行なうことができるので稼働率の高い、すなわち生産性の高いインクジェット式画像形成装置を提供することができる。
【発明を実施するための最良の形態】
【００２０】
この発明の第１の発明のインクジェット式画像形成装置においては、複数の圧力室と、圧力室の内圧を高める圧力発生手段と、圧力室毎に設けられ各々複数のノズルを有し、圧力室の圧力によりノズルからインク滴を吐出してメディアにドットを形成するノズル板と、を備えたインクジェット式画像形成装置において、ノズル板に電圧を印加してインク滴に電荷を与える電圧手段と、メディアにより摩擦され、インク滴の電荷とは逆極性にメディアを帯電させる１つまたは複数の接触部材を設けた摩擦器具を備え、１つまたは複数の接触部材とメディアの接触面積を変更して、メディアに帯電する電荷量を制御する電位制御装置を備えている。この構成により、ノズルから吐出されたインク滴がノズル板に引き戻されること無くメディアに付着し、ノズル面のインク付着量を大幅に低減することができ、長時間にわたる連続印字を行う場合においても、画像形成の安定性が損なわれることが無いという作用を有する。
【００２４】
この発明の第２の発明のインクジェット式画像形成装置においては、摩擦器具は、略円柱形状を成し円柱形状の側面に設けられた接触部材でメディアに接触するとともに、接触部材の接触面積を変更することにより、メディアの電荷量を制御する。この構成により、円柱形状の側面でメディアに接触し、接触部分の面積で電荷量を制御することでメディア上の電荷量の調整を可能とし、帯電列順位が離れていても所望の電位を得ることができるので摩擦器具表面に設ける部材の種類を少なくすることができ、コストダウンを行うことができるという作用を有する。
【００２５】
この発明の第３の発明のインクジェット式画像形成装置においては、摩擦器具は、帯電列の異なる少なくとも２種類の接触部材が側面に設けられてなり、２種類の接触部材の接触面積の比を増減することで帯電量を制御する。この構成により、印刷用紙の張力を変えることなく、発生電位のみを容易に変えることができるという作用を有する。
【００２６】
この発明の第４の発明のインクジェット式画像形成装置においては、摩擦器具は、接触部材とメディアとの摩擦を、接触部材をメディアの搬送方向に対し角度を持つように接触させて行う。この構成により、メディアの搬送によりメディアをメディアの幅方向に摩擦することで、接触長さを大きくすることが可能となり効率よく摩擦することが可能となるという作用を有する。
【００２７】
この発明の第５の発明のインクジェット式画像形成装置においては、摩擦器具は、接触部材が回転自在なローラの表面に設けられている。この構成により、ローラはメディアの送りにより回転し、メディアと摩擦する部位が入れ替わるので、ローラ表面の摩擦部材の偏磨耗を防止でき、摩擦部材交換までの時間すなわち部品寿命を長くすることができるという作用を有する。
【００２８】
この発明の第６の発明のインクジェット式画像形成装置においては、摩擦器具は、メディアの種類、メディアの速度、湿度および温度に基づいて所定のものが選定され、摩擦器具は着脱自在とされている。この構成により、環境変化等により電荷発生量が所望の値を示さない場合には、帯電列の異なる部材やメディアとの接触面積を変えた摩擦器具に変更することで容易に対応可能となるという作用を有する。
【００３２】
この発明の第７の発明のインクジェット式画像形成装置においては、圧力室の圧力でノズルから生成されるインク滴は、メディア上に形成されるドットの大部分を構成する主インク滴と、ドットの残りの部分を構成する少なくとも１つの副インク滴よりなる。この構成により、温度等によるインク粘度変化により吐出系の条件が変化しても、副インク滴の個数やサイズが若干変化するだけですむので温度変化に対する吐出系の冗長度が大きくなり、メディア上に安定したドット形成を行うことができるという作用を有する。
【００３４】
この発明の第８の発明のインクジェット式画像形成装置においては、圧力室の内圧を高める圧力発生手段は、圧力室の少なくとも１面を形成する振動部材と、振動部材に順に積層された第１の電極と、圧電素子と、第２の電極と、第１の電極に駆動電圧波形を印加する駆動電圧手段と、を有し、第１の電極と振動部材とノズル板とを電気的に導通させることにより駆動電圧手段が電圧手段を兼ねる。この構成により、圧力室内のインクの電位をノズル電位と等しくできるので、ノズル板に達したインク電位を安定して所望値にすることができる。かつ振動板とノズル板間でインクを通じて電気が流れることが無いので、電気分解による微小気泡が発生、滞留が圧力室内部で発生すること無く、安定したインク吐出を行うことができるという作用を有する。
【００３６】
この発明の第９の発明のインクジェット式画像形成装置においては、メディアの帯電による電位は、ノズル板の電位が負極性の場合は、ノズル板の電位より高く設定され、メディアの帯電による電位とノズル板の電位の電位差が２００Ｖないし２ｋＶであり、ノズル板の電位が正極性の場合は、ノズル板の電位より低く設定され、メディアの帯電による電位とノズル板の電位の電位差が２００Ｖないし２ｋＶである。この構成により、静電力によりインク滴をメディアに付着させノズル板に戻ることが無く、かつメディアとノズル板もしくはメニスカスの間で放電することも無いので、インク滴は安定吐出され所望の画像が形成されるという作用を有する。
【００３７】
（実施の形態１）
以下、本発明の実施の形態１について、図１から図７を用いて説明する。
【００３８】
図１は本発明の実施の形態１におけるインクジェット式画像形成装置の模式断面図である。図１において、１Ｙ、１Ｍ、１Ｃ、１Ｋは各色インクを吐出するヘッドを搭載したヘッドボックス、２Ａ、２Ｂ、２Ｃは用紙を巻き取る側のガイドローラであり、３Ａ、３Ｂ、３Ｃは位置決めローラ、４Ａと４Ｂは搬送ローラである。５Ａ、５Ｂは摩擦ガイドローラ、６は摩擦ガイドローラ５Ａと回転軸を等しくする回転板、７は回転板６に軸が固定され回転自在なテンション保持ローラ、８は回転板６に取り付けられた摩擦器具（電位制御装置）、１９は所定の張力を搬送ローラ４Ａと４Ｂにより与えられ、インク滴が付着し、画像がその表面に生成される印刷用紙である。
【００３９】
図２は本発明の実施の形態１における帯電器の取り付け図である。図２において、９は溝形状にて摩擦器具８を保持する固定プレート、１０は正逆の電圧を適宜印加することでウォームギア機構にて固定プレート９の角度を変える回転機構部である。摩擦器具８は、円柱形状をしており、両底面には軸中心に四角柱軸を持ち、この四角柱軸により固定プレート９に回転自在に軸支されている。円柱側面には、略半周分にわたり、例えば図１９に示すようにテフロン（登録商標）に代表される帯電列のマイナス側になる負極部材１１が取り付けられており、残り略半周分に、例えば図１９に示すようにナイロンに代表される帯電列のプラス側になる正極部材１２が取り付けられている。
【００４０】
図３は本発明の実施の形態１におけるインクジェット式画像形成装置のライン型ヘッドの並び図であり、印刷用紙側から見た配置である。図３において、１３はシングルヘッドであり、印刷用紙１９の搬送方向にノズル孔を投影すると等間隔になるように各ヘッドが配列されている。図３においては、ヘッド数が２０個の配置を示したが、配置数が他の任意の数でも本実施の形態の効果が得られることは言うまでも無い。
【００４１】
図４は本発明の実施の形態１におけるシングルヘッドの要部斜視図である。図４において、２１は圧電素子、２２は上電極、２３は下電極を兼ねた振動板（圧力発生手段）、２５は積層されて構成された流路部材、１４はインクチューブ接続孔である。振動板２３は各圧電素子２１に対して共通な下電極となっている。圧電素子２１、上電極２２は１対となっており、図４においては圧電素子数２０個の構成となっているが、圧電素子数が任意の個数であっても本実施の形態の効果が得られることは言うまでも無い。
【００４２】
図５は本発明の実施の形態１におけるシングルヘッドの要部平面図である。図５において、１５は共通インク流路である。図６は本発明の実施の形態１における図５のＡ−Ａ間の縦断面図であり、圧力室の内圧を高める圧力発生手段と圧力室に対応して具備した複数のノズルを持つノズル板と高められた圧力室の圧力でノズルからオンデマンドにインク滴を吐出させる構造の１ノズル分の部位の構造図である。
【００４３】
図６において、２４は絶縁接着層、３１は圧電素子２１に対応して流路部材２５中に設けられた圧力室、２６はノズル板であり、ＤＣ電源より３５Ｖに電位が規定されている。ノズル孔２７はノズル板２６を貫通しインク流れ方向出口側にて先細りとなっており、圧力室３１に対応して設けられている。２８は流路部材２５とノズル板２６を接着する絶縁接着層、２９はノズル孔２７より吐出された主インク滴、３０は主インク滴から分離した副インク滴である。
【００４４】
なお、インクジェット式画像形成装置は、大きく分類するとコンティニュアス方式のものとオンデマンド方式のものに分けられる。コンティニュアス方式のものは常にインクの吐出が行われており、必要に応じて電荷をかけることにより、印刷用紙に向かってインクを飛翔させる。一方、オンデマンド方式のものは印字を行うときにだけインクを飛翔させる。本実施の形態のインクジェット式画像形成装置はオンデマンド方式のものである。しかしながら、本願発明にかかるインクジェット式画像形成装置はこれに限定されるものではない。
【００４５】
図７は本発明の実施の形態１におけるインクジェット式画像形成装置のインク滴吐出プロセスの連続模式断面図である。図７において、２７はノズル孔、３２はインク柱、２９は主インク滴、３０は主インク滴から分離した副インク滴である。
【００４６】
本実施の形態のインクジェット式画像形成装置において、その動作を以下に説明する。印刷メディアとして紙が選定された場合には、画像形成装置に用紙がセットされる前に、印刷用紙１９との摩擦面がナイロンになるように摩擦器具８が固定プレート９に取り付けられる。次に回転板６を倒して可動領域の中央付近の適当な所で止める。印刷用紙１９を所定の順で各ローラに巻きつけて、張力を調整する。紙搬送命令が画像形成装置に入ると、搬送ローラ４Ａと４Ｂとが回転し、印刷用紙１９を所定の速度と張力で搬送する。このとき印刷用紙１９と摩擦器具８上の正極部材１２で摩擦が起こり、摩擦による静電荷が発生する。図１９に示すように帯電列において紙とナイロンの場合には紙が負極、ナイロンが正極となるので印刷用紙１９には負電荷が帯電され印刷用紙１９の表面は負電位になる。
【００４７】
この際、電位測定器具（図示せず）でヘッドボックス１Ｙの搬送方向上流側で印刷用紙１９の電位を測定し−２００Ｖないしは−２ｋＶになるように摩擦器具を回転機構部１０により回転させて、回転板６の倒す角度を調整する。調整範囲から逸脱して−２００Ｖに達しない場合には、摩擦器具８の直径を大きくする。調整範囲から逸脱して−２ｋＶよりも低くなる場合には、摩擦器具８を回転機構部１０により回転させて、ナイロンとテフロン（登録商標）が同時に印刷用紙１９と摩擦するようにし、印刷用紙１９の表面電位が−１ｋＶ程度になるように調整する。
【００４８】
調整が完了すれば印刷可能となり、印刷命令が画像形成装置に入ると、搬送ローラ４Ａと４Ｂとが回転し、印刷用紙１９を所定の速度と張力で搬送する。同時にＤＣ電源（図示せず）よりノズル板２６の電位が＋３５Ｖに固定される。用紙搬送速度があらかじめ使用者の設定値に達すると用紙搬送速度と各色のヘッドＢＯＸの用紙送り方向の距離に応じて、タイミングを合わせて、下電極２３に駆動電圧波形がアンプ（図示せず）より印加される。そして、形成画像に対応して選択された上電極２２が駆動ドライバ（図示せず）によりＧＮＤに接続されて、圧電素子２１に電界が掛かる。圧電素子２１は平面方向に縮小し、振動板２３とのバイメタル効果で振動板２３が屈曲し、圧力室３１の内圧を高め、高められた内圧がノズル孔２７からインク滴２９、３０を吐出し印刷用紙１９上に画像を形成する。
【００４９】
このときのインクミストである副インク滴３０の挙動について図７を用いて説明する。図７（１）に示すように、待機状態にあるノズル孔に内圧が伝達されると、図７（２）に示すようにメニスカスが盛り上がり、図７（３）に示すように、インク柱が形成される。ノズル板の電位は３５Ｖに固定されているのでインク柱の表面には正電荷が発生している。
【００５０】
次いで図７（４）に示すように慣性力により前方へ進むインクと速度が遅いインクもしくは強制的に引き戻されたインクとの間で表面張力により括れが生じ、インク柱３２が切断され主インク滴２９が生成される。この主インク滴２９はインク柱３２と分離する際に尾のような細いインク部を持つことが多く、印刷用紙１９が負に帯電し電位が低いと誘電分極により主インク滴２９部分に正電荷、尾の部分に負電荷が発生しようとする。しかし、あらかじめ正電荷を主インク滴２９には帯電させてあるので、主インク滴２９には大きな正電荷、尾の部分には小さな正電荷が残る。
【００５１】
次いで図７（５）に示すように、尾の部分も表面張力により切断され副インク滴３０となり、副インク滴３０にも小さな正電荷が残るので、印刷用紙電位と吸引し合い、副インク滴３０がノズル板２６に付着することなく印刷用紙１９に付着する。このとき印刷用紙電位差がＧＮＤに対して２００Ｖ以上あるので、４番目のヘッドボックス１Ｋの印刷終了時点でもインク打ち込みによる放電や空気中への自然放電で印刷用紙１９電位が０Ｖになることはなく、副インク滴３０が印刷用紙１９と反発することもない。また、２ｋＶ以下になるように印刷用紙１９の電位を設定しているのでノズル板２６やインク柱３２との間で放電が発生し主インク滴２９が飛散することはなく、画像形成が安定して継続できる。
【００５２】
（実施の形態２）
以下本発明の実施の形態２について、図１ないし図３と図８ないし図１１を用いて説明する。図１から図３は実施の形態１で説明したものと同じであるので説明を省略する。
【００５３】
図８は本発明の実施の形態２におけるシングルヘッドの要部斜視図である。図８において５１は圧電素子、５４は振動板、５６は積層されて構成された流路部材、４４はインクチューブ接続孔、６３はヘッドベースである。振動板５４は各圧電素子５１に対して共通となっている。圧電素子５１は、図８において圧電素子数２０個の構成となっているが、圧電素子数が任意の個数であっても本実施の形態の効果が得られることは言うまでも無い。
【００５４】
図９は本発明の実施の形態２におけるシングルヘッドの要部平面図である。図９において、６５は共通インク流路である。図１０は本発明の実施の形態２における図９のＢ−Ｂ間の縦断面図であり、圧力室の内圧を高める圧力発生手段と圧力室に対応して具備した複数のノズルを持つノズル板と高められた圧力室の圧力でノズルからオンデマンドにインク滴を吐出させる構造の１ノズル分の部位の縦断面図である。図１０において、５１は多層に重ねられた圧電素子、５２は多層圧電素子５１の各層間の一つ置きに挿入された上電極、５３は多層圧電素子５１の各層間の一つ置きで上電極と交互になるように挿入された下電極、５４は下電極と導通した振動板、５５は絶縁接着層、５６は流路部材、５７は圧電素子５１に対応して流路部材５６中に設けられた圧力室、５８はノズル板であり、ＤＣ電源より−３０Ｖに電位が規定されている。５９はノズル板５８を貫通しインク流れ方向出口側にて先細りとなっているノズル孔で圧力室５７に対応して設けられている。６０は流路部材５６とノズル板５８を接着する絶縁接着層、６１はノズル孔５９より吐出された主インク滴、６２は主インク滴から分離した副インク滴である。圧電素子５１はヘッドベース６３で流路部材５６と固定され、その延伸した変形力が逃げないようになっている。
【００５５】
図１１は本発明の実施の形態２におけるインクジェット式画像形成装置のインク滴吐出プロセスの連続模式断面図である。図１１において、５９はノズル孔、６６はインク柱、６１は主インク滴、６２は主インク滴から分離した副インク滴である。
【００５６】
本実施の形態のインクジェット式画像形成装置において、その動作を以下に説明する。印刷メディアとして紙が選定された場合には、画像形成装置に用紙がセットされる前に、印刷用紙１９との摩擦面がテフロン（登録商標）になるように摩擦器具８を固定プレート９に取り付けられる。次に回転板６を倒して可動領域の中央付近の適当な所で止める。印刷用紙１９を所定の順で各ローラに巻きつけて、張力を調整する。紙搬送命令が画像形成装置に入ると、搬送ローラ４Ａと４Ｂが回転し、印刷用紙１９を所定の速度と張力で搬送する。このとき印刷用紙１９と摩擦器具８上の負極部材１１で摩擦が起こり、摩擦による静電荷が発生する。図１９に示すように帯電列において紙とテフロン（登録商標）の場合には紙が正極、テフロン（登録商標）が負極となるので印刷用紙１９には正電荷が帯電され、印刷用紙１９の表面は正電位になる。
【００５７】
この際に、電位測定器具（図示せず）でヘッドボックス１Ｙの搬送方向上流側で印刷用紙１９の電位を測定し＋２００Ｖないしは＋２ｋＶになるように回転板６の倒す角度を調整する。調整範囲から逸脱して＋２００Ｖに達しない場合には摩擦器具８の直径を大きくする。調整範囲から逸脱して＋２ｋＶよりも高くなる場合には摩擦器具８を回転機構部１０により回転させて、ナイロンとテフロン（登録商標）が同時に印刷用紙１９と摩擦するようにし、印刷用紙１９の表面電位が＋１ｋＶ程度になるように調整する。
【００５８】
調整が完了すれば印刷可能となり、印刷命令が画像形成装置に入ると、搬送ローラ４Ａと４Ｂが回転し、印刷用紙１９を所定の速度と張力で搬送する。同時にＤＣ電源（図示せず）よりノズル板５８の電位が−３０Ｖに固定される。用紙搬送速度があらかじめ使用者の設定値に達すると用紙搬送速度と各色のヘッドＢＯＸの用紙送り方向の距離に応じて、タイミングを合わせて、下電極５３に駆動電圧波形がアンプ（図示せず）より印加される。そして、形成画像に対応して選択された上電極５２が駆動ドライバ（図示せず）によりＧＮＤに接続されて、圧電素子５１に電界が掛かる。圧電素子５１が上下方向に延伸し、振動板５４を圧力室５７の方向へ押し下げ、圧力室５７の内圧を高め、高められた内圧がノズル５９からインク滴６１、６２を吐出し印刷用紙１９上に画像を形成する。
【００５９】
このときのインクミストである副インク滴６２の挙動について図１１を用いて説明する。図１１で説明したインクジェット式画像形成装置のインク滴吐出プロセスの連続模式断面図である。図１１（１）に示すように、待機状態にあるノズル孔に内圧が伝達されると、図１１（２）に示すようにメニスカスが盛り上がり、図１１（３）に示すように、インク柱６６が形成される。ノズル板５８の電位は−３０Ｖに固定されているのでインク柱６６の表面には負電荷が発生している。次いで図１１（４）に示すように慣性力により前方へ進むインクと速度が遅いインクもしくは強制的に引き戻されたインクとの間で表面張力により括れが生じ、インク柱６６が切断され主インク滴６１が生成される。この主インク滴６１はインク柱６６と分離する際に尾のような細いインク部を持つことが多く、印刷用紙１９が正に帯電し電位が高いと誘電分極により主インク滴部分に負電荷、尾の部分に正電荷が発生しようとする。しかし、あらかじめ負電荷をインク滴には帯電させてあるので、主インク滴６１には大きな負電荷、尾の部分には小さな負電荷が残る。
【００６０】
次いで図１１（５）に示すように、尾の部分も表面張力により切断され副インク滴６２となる。副インク滴６２にも小さな負電荷が残り、印刷用紙電位と吸引し合うので副インク滴がノズル板に付着することなく印刷用紙１９に付着する。このとき印刷用紙電位差がＧＮＤに対して２００Ｖ以上あるので、４番目のヘッドボックス１Ｋの印刷終了時点でもインク打ち込みによる放電や空気中への自然放電で印刷用紙１９電位が０Ｖになることはなく、副インク滴６２が印刷用紙１９と反発することもない。また、２ｋＶ以下になるように印刷用紙の電位を設定しているのでノズル板５８やインク柱６６との間で放電が発生し主インク滴６１が飛散することはなく、画像形成が安定して継続できる。
【００６１】
（実施の形態３）
以下、本発明の実施の形態３について、図３ないし図６、図１２、図１３、図１４を用いて説明する。図１２は本発明の実施の形態３におけるインクジェット式画像形成装置の模式断面図である。
【００６２】
図１２において７１Ｙ、７１Ｍ、７１Ｃ、７１Ｋは各色インクを吐出するヘッドを搭載したヘッドボックス、７２Ａ、７２Ｂ、７２Ｃは用紙を巻き取る側のガイドローラであり、７３Ａ、７３Ｂ、７３Ｃは位置決めローラ、７４Ａと７４Ｂは搬送ローラ、８３は印刷用紙反転ユニットを兼ねたメディア帯電器（電位制御装置）である。
【００６３】
図１３は本発明の実施の形態３におけるメディア帯電器の要部を示す斜視図である。図１３において９１は巻き取り側縦ローラ、９２は９１と共に印刷用紙張力調整を行なう送り側縦ローラ、９３、９４はガイドローラ、９５は印刷平面に対して４５度の角度で取り付けられている斜めローラ、９６は印刷平面に対して４５度で斜めローラ９５とは９０度の角度で取り付けられ、円柱形状をしており、中心線を回転軸にして回転自在で、その回転ローラ部の側面部にアクリル製の正極部材９７が取り付けられている摩擦帯電ローラである。
【００６４】
図３、図４は実施の形態１と同様であり説明を省略する。本実施の形態のインクジェット式画像形成装置において、その動作を以下に説明する。印刷メディアとして紙が選定された場合には、画像形成装置に用紙がセットされる前に、印刷用紙１９との摩擦面にアクリル製の正極部材９７を持った摩擦帯電ローラ９６を取り付ける。次に印刷用紙１９を所定の順で各ローラに巻きつけて、張力を調整する。印刷用紙１９は図１３に示すように４５度と１３５度の角度で取り付けられた２本のローラにそれぞれ４５度の角度で入り１３５度で出て行くので、結果として１８０度ねじられ、印刷面が表裏反転されることになる。図１３において視認性を良くする為に印刷用紙１９の片面にハッチングを施し説明の一助としている。
【００６５】
紙搬送命令が画像形成装置に入ると、搬送ローラ７４Ａと７４Ｂが回転し、印刷用紙１９を所定の速度で搬送する。上述の搬送ローラ７４Ａ、７４Ｂと帯電装置８３内の巻き取り側縦ローラ９１、送り出し側ローラ９２が連動して、印刷用紙１９の張力を調整する。
【００６６】
摩擦帯電ローラ９６の中心軸に対し４５度の角度で印刷用紙１９が摩擦帯電ローラ９６に巻きついており、かつ、摩擦帯電ローラ９６は中心軸で回転自在であるから、摩擦帯電ローラ９６の周方向には摩擦が発生せず、正極部材９７と印刷用紙１９との摩擦は摩擦帯電ローラ９６の中心軸と平行方向でのみ発生している。摩擦により静電荷が発生する。
【００６７】
帯電列において紙とアクリルの場合には紙が負極、アクリルが正極となるので印刷用紙１９には負電荷が帯電され、印刷用紙１９の表面は負電位になる。この際に、電位測定器具（図示せず）でＹヘッドボックス７１Ａの搬送方向上流側で印刷用紙１９の電位を測定する。−２００Ｖに達しない場合には、正極部材９７の材質をナイロンのような帯電列をより離れたものに交換する。−２ｋＶよりも低くなる場合には、正極部材９７の材質をアルミニウムのような帯電列をより近いものに交換し、印刷用紙１９の表面電位が−１ｋＶ程度になるように調整する。無論、実施の形態１や２と組み合わせて印刷用紙電位を調整することが可能であるのは言うまでもない。
【００６８】
調整が完了すれば印刷可能となり、印刷命令が画像形成装置に入ると、搬送ローラ７４Ａと７４Ｂとが回転し、印刷用紙１９を所定の速度で搬送する。上述の搬送ローラ７４Ａ、７４Ｂと帯電装置８３内の巻き取り側縦ローラ９１、送り出し側ローラ９２が連動して、印刷用紙１９の張力を調整する。
【００６９】
同時にＤＣ電源（図示せず）よりノズル板２６の電位が＋３５Ｖに固定される。用紙搬送速度があらかじめ使用者の設定値に達すると用紙搬送速度と各色のヘッドＢＯＸの用紙送り方向の距離に応じて、タイミングを合わせて、下電極２３に駆動電圧波形がアンプ（図示せず）より印加される。そして、形成画像に対応して選択された上電極２２が駆動ドライバ（図示せず）によりＧＮＤに接続されて、圧電素子２１に電界が掛かる。圧電素子２１は平面方向に縮小し、振動板２３とのバイメタル効果で振動板２３が屈曲し、圧力室３１の内圧を高め、高められた内圧がノズル孔２７からインク滴２９、３０を吐出し印刷用紙１９上に画像を形成する。
【００７０】
このときのインクミストである副インク滴３０の挙動については実施の形態１と同様なので説明を省略する。
【００７１】
（実施の形態４）
以下、本発明の実施の形態４について、図１４、図１５、図１６を用いて説明する。
【００７２】
図１４は本発明の実施の形態４におけるシングルヘッド要部の縦断面図である。図１４において、１０１は圧電素子、１０２は上電極、１０３は下電極を兼ねた振動板であり、複数の圧電素子に共通の下電極となる。１０４は導電性接着層、１０５はステンレス材の流路部材、１１１は圧電素子１０１に対応して流路部材１０５中に設けられた圧力室、１０６はノズル板、１０７はノズル板１０６を貫通しインク流れ方向出口側にて先細りとなっているノズル孔で圧力室に対応して設けられている。１０８は流路部材１０５とノズル板１０６を接着する導電性接着層、１０９はノズル孔１０７より吐出された主インク滴、１１０は主インク滴から分離した副インク滴である。
【００７３】
このときのインクミストである副インク滴１１０の挙動について図１５、図１６を用いて説明する。
【００７４】
図１５は本発明の実施の形態４におけるインクジェット式画像形成装置の電圧波形図である。図１５において、振動板１０３と上電極１０２間の圧電素子１０１には引き−押し−引きの電圧波形が印加されており、振動板１０３は共通電極なので全てのノズル近傍のインクが同様の電位になっている。電圧波形の時間タイミングに対応して、Ｔ１からＴ６までの記号を与え、電圧波形の各電位をＶ１、Ｖ２とする。
【００７５】
図１６は本発明の実施の形態４におけるインクジェット式画像形成装置のインク滴吐出プロセスの連続模式断面図である。図１６において、１０６はノズル孔、１１２はインク柱、１０９は主インク滴、１１０は主インク滴から分離した副インク滴、１９は印刷用紙であり、予め表面に負電荷を付与し−２００Ｖないしは−２ｋＶの負電位を発生している。
【００７６】
本実施の形態のインクジェット式画像形成装置において、その動作を以下に説明する。図１５に示すように待機状態からＴ１までの区間では、印加電圧はＶ１の状態で保持されているので、圧電素子１０１は平面方向に縮小し、振動板１０３とのバイメタル効果で振動板１０３が屈曲し、圧力室１１１の体積は減少した状態で保持されている。
【００７７】
次にＴ１からＴ２までの区間では印加電圧Ｖ１からＧＮＤまで徐々に減少するので、バイメタル効果が減少し、圧力室１１１は徐々に拡大する。このとき図１６（１）に示すようにノズル孔１０７のメニスカスは少し後退し凹状に引き込んでいる。
【００７８】
次にＴ２からＴ３までの区間で電圧を保持した後にＴ３からＴ４までの区間で印加電圧をＧＮＤからＶ２まで上昇させ、圧力室１１１が待機状態時よりもさらに減少する。このとき、図１６（２）に示すように、メニスカスが盛り上がり、図１６（３）に示すように、インク柱１１２が形成される。ノズル板１０６は、振動板１０３と導電性接着剤層１０４、１０８と流路部材１０５を介して電気的に導通しているので、ノズル板１０６の電位は、振動板１０３と等しくなっており、インク柱１１２の表面には正電荷が発生している。
【００７９】
次にＴ４からＴ５までの区間で電圧を保持した後にＴ５からＴ６までの区間で印加電圧をＶ２からＶ１まで徐々に下げて、圧力室１１１の体積を拡大し待機状態まで復帰させる。このとき図１６（４）に示すように慣性力により前方へ進むインクと速度が遅いインクもしくは強制的に引き戻されたインクとの間で表面張力により括れが生じ、インク柱１１２が切断され主インク滴１０９が生成されるがノズル板１０６の電位をＶ１に保持しているので、主インク滴１０９は正電荷を持つ。この主インク滴１０９はインク柱１１２と分離する際に尾のような細いインク部を持つことが多く、印刷用紙１９が負に帯電し電位が低いと誘電分極により主インク滴１０９部分に正電荷、尾の部分に負電荷が発生しようとする。しかし、主インク滴１０９はあらかじめ正電荷を持っているので、主インク滴１０９に大きな正電荷、尾の部分には小さな正電荷が残る。
【００８０】
次いで図１６（５）に示すように、尾の部分も表面張力により切断され副インク滴１１０となる。結果、副インク滴１１０にも小さな正電荷が残り、印刷用紙電位と吸引し合うので副インク滴がノズル板に付着することなく印刷用紙に付着する。このとき印刷用紙電位がＧＮＤに対して−２００Ｖ以上負になっているので、インク打ち込みによる放電や自然放電で急に電荷がなくなることはない。また、−２ｋＶよりも小さな負電位になるように印刷用紙の電位を設定しているのでノズル面との間で放電が発生することはなく、ノズル板１０６やインク柱１１１との間で放電が発生し主インク滴１０９が飛散することはなく、画像形成が安定継続できる。
【００８１】
また、ノズル板１０６と振動板１０３は電気的に導通しているので、ノズル板と振動板との間で電流が流れることもない。従って電気分解による微小気泡が圧力室に滞留することもなく、安定した印刷を実現できる。実施の形態４では電圧波形が正極側、印刷用紙は負極側の組み合わせで説明を行なったが、電圧波形が負極側、印刷用紙の電位が正極側の組み合わせでも、同様の作用があるのは言うまでもない。
【００８２】
また、実施の形態４は実施の形態１および３と同時に行なうことも、実施の形態２および３と同時に行なうことも当然可能である。
【実施例】
【００８３】
以下、本発明の具体的内容について実施例を用いて説明する。
【００８４】
（実施例１）
図２０は印刷用紙面にインクを打ち込んだ場合の印刷後電位の初期電位および相対湿度依存を示した表を示す図である。印刷用紙は普通紙（王子製紙製ＯＫＨ−Ｊオフ７０）、環境温度３０℃、印刷速度６０ｍ／分、相対湿度は２０％ＲＨと８０％ＲＨである。図１９より２０％ＲＨにおいても初期電位が２ｋＶ以下ならば放電することも無く、８０％ＲＨにおいても初期電位が２００Ｖ以上ならばＧＮＤに落ちることも無く、本発明の効果が得られる。
【産業上の利用可能性】
【００８５】
本発明にかかるインクジェット式画像形成装置は、長時間連続稼動できることから、新聞印刷、ダイレクトメール等の紙印刷分野やペットボトルのラベル、ＤＶＤ等の樹脂印刷分野や捺染等の布印刷分野および外壁等のパネル印刷分野に利用可能である。
【図面の簡単な説明】
【００８６】
【図１】本発明の実施の形態１におけるインクジェット式画像形成装置の模式断面図
【図２】本発明の実施の形態１における帯電器の取り付け図
【図３】本発明の実施の形態１におけるインクジェット式画像形成装置のライン型ヘッドの並び図
【図４】本発明の実施の形態１におけるシングルヘッドの要部斜視図
【図５】本発明の実施の形態１におけるシングルヘッドの要部平面図
【図６】本発明の実施の形態１における図５のＡ−Ａ間の縦断面図
【図７】本発明の実施の形態１におけるインクジェット式画像形成装置のインク滴吐出プロセスの連続模式断面図
【図８】本発明の実施の形態２におけるシングルヘッドの要部斜視図
【図９】本発明の実施の形態２におけるシングルヘッドの要部平面図
【図１０】本発明の実施の形態２における図９のＢ−Ｂ間の縦断面図
【図１１】本発明の実施の形態２におけるインクジェット式画像形成装置のインク滴吐出プロセスの連続模式断面図
【図１２】本発明の実施の形態３におけるインクジェット式画像形成装置の模式断面図
【図１３】本発明の実施の形態３におけるメディア帯電器の要部を示す斜視図
【図１４】本発明の実施の形態４におけるシングルヘッド要部の縦断面図
【図１５】本発明の実施の形態４におけるインクジェット式画像形成装置の電圧波形図
【図１６】本発明の実施の形態４におけるインクジェット式画像形成装置のインク滴吐出プロセスの連続模式断面図
【図１７】従来のインクジェット式画像形成装置の模式断面図
【図１８】従来のインクジェット式画像形成装置のインク滴吐出プロセスの連続模式断面図
【図１９】代表的な材料の帯電列の一覧表を示す図
【図２０】印刷用紙面にインクを打ち込んだ場合の印刷後電位の初期電位および相対湿度依存を示した表を示す図
【符号の説明】
【００８７】
４    搬送ローラ
６    回転板
８    摩擦器具（電位制御装置）
９    固定プレート
１０    回転機構部
１１    負極部材
１２，９７    正極部材
１３    シングルヘッド
１９    印刷用紙（メディア）
２１，５１，１０１    圧電素子
２２，５２，１０２    上電極
２３，５３，１０３    下電極（振動板、圧力発生手段）
２５，５６，１０５    流路部材
２６，５８，１０６    ノズル板
２７，５９，１０７    ノズル孔
２９，６１，１０９    主インク滴
３０，６２，１１０    副インク滴
３１，５７，１１１    圧力室
３２，６６，１１２    インク柱
６３    ヘッドベース
８３    帯電装置
９１    送り側縦ローラ
９２    巻き取り側縦ローラ
９５    斜めローラ
９６    摩擦帯電ローラ
１０４，１０８    導電性接着層
【図１】
0004848850.tif 000002
【図２】
0004848850.tif 000003
【図３】
0004848850.tif 000004
【図４】
0004848850.tif 000005
【図５】
0004848850.tif 000006
【図６】
0004848850.tif 000007
【図７】
0004848850.tif 000008
【図８】
0004848850.tif 000009
【図９】
0004848850.tif 000010
【図１０】
0004848850.tif 000011
【図１１】
0004848850.tif 000012
【図１２】
0004848850.tif 000013
【図１３】
0004848850.tif 000014
【図１４】
0004848850.tif 000015
【図１５】
0004848850.tif 000016
【図１６】
0004848850.tif 000017
【図１７】
0004848850.tif 000018
【図１８】
0004848850.tif 000019
【図１９】
0004848850.tif 000020
【図２０】
0004848850.tif 000021